(57)【要約】【課題】ゴルフプレイヤーが、各自の振り心地が合うように、自分自身で重量やバランスを簡単に調整することができるアイアンゴルフクラブヘッドを提供する。【解決手段】アイアンゴルフクラブヘッドのバックフェース側に、ネジ孔を設けた単数又は複数個のおもりと、該おもりを嵌めて移動可能に配置する単数又は複数の溝部と、該溝部に設けた前記おもりを配置して固定するための複数個のネジ穴と、前記ネジ孔に通して前記おもりを前記ネジ穴に固定する固定ネジと、を備えたことを特徴とする。【選択図】図１
2019042192.tif 000002
【特許請求の範囲】
【請求項１】
アイアンゴルフクラブヘッドのバックフェース側に、ネジ孔を設けた単数又は複数個のおもりと、該おもりを嵌めて移動可能に配置する単数又は複数の溝部と、該溝部に設けた前記おもりを配置して固定するための複数個のネジ穴と、前記ネジ孔に通して前記おもりを前記ネジ穴に固定する固定ネジと、を備えたことを特徴とするアイアンゴルフクラブヘッド。
【請求項２】
前記溝部の断面形状が、外部側が狭く内部側が広いハの字形状であり、前記おもりの該溝部に嵌める嵌合部の断面形状がハの字形状であって、該おもりの該嵌合部が該溝部内を摺動して移動可能であることを特徴とする請求項１に記載のアイアンゴルフクラブヘッド。
【請求項３】
前記溝部の少なくとも一方の端部が、前記アイアンヘッドの外周まで貫通していること特徴とする請求項１又は２に記載のアイアンゴルフクラブヘッド。
【請求項４】
前記溝部と前記ネジ穴とが、少なくとも前記バックフェースのキャビティー部に設けられたことを特徴とする請求項１又は２又は３に記載のアイアンゴルフクラブヘッド。
【発明の詳細な説明】
【技術分野】
【０００１】
本発明は、アイアンゴルフクラブヘッドの重量調整および重心調整に関するものである。
【背景技術】
【０００２】
様々な種類のゴルフクラブで、ゴルフボールを上手く打つには、それらのゴルフクラブの振り心地をそろえるのがよいといわれている。しかし、振り心地や打撃の癖は、個人によって様々である。そこで、従来、既製品のゴルフクラブを自分に合うようにするために、アイアンゴルフクラブやウッドゴルフクラブに自分で鉛をアイアンゴルフクラブに張ったり、また、場合によっては貼り付けた鉛をはがしたりして、重さや重心位置を各々で調節していた。しかしながら、鉛をゴルフクラブに張ってもプレー中に剥がれて重量やバランスが変わってしまって振り心地が変わり、思うようなプレイができないという問題があった。また、剥がれた鉛が環境に悪影響を与えるおそれがあった。
【０００３】
そこで、重量やバランスの調整が比較的容易に行えるゴルフクラブの発明がなされてきており、例えば、重量やバランスの調整の自由度を大きくすることができるアイアン型ゴルフクラブヘッドの先行技術が開示されている（参考文献１）。
【先行技術文献】
【特許文献】
【０００４】
【特許文献１】特開２０１４−２１７６６８号公報
【発明の概要】
【発明が解決しようとする課題】
【０００５】
特許文献１の先行技術は、ゴルフクラブメーカーが工場でアイアンゴルフクラブヘッドを生産する際に、重量やバランスの変更の自由度が大きくできる点で優れているが、生産者が、アイアンゴルフクラブヘッドを個人それぞれの振り心地に合うように作成することは困難があるので、やはり従来どおり、使用者が、個人個人でアイアンゴルフクラブに鉛を張り付けることなる。よって、前述したように、鉛をゴルフクラブに張ってもプレー中に剥がれて重量やバランスが変わってしまって振り心地が変わり、思うようなプレイができないという問題があり、また、剥がれた鉛が環境に悪影響を与えるおそれがあった。
【０００６】
本発明は、これらの問題を解決したものであって、ゴルフプレイヤーが、各々、振り心地が合うように、自分自身で重量やバランスを簡単に調整することができると共におもりがアイアンゴルフクラブヘッドから外れないアイアンゴルフクラブヘッドを提供するものである。
【課題を解決するための手段】
【０００７】
上記の目的を達成するために、本願発明の請求項１に係るアイアンゴルフクラブヘッドは、アイアンゴルフクラブヘッドのバックフェース側に、ネジ孔を設けた単数又は複数個のおもりと、該おもりを嵌めて移動可能に配置する単数又は複数の溝部と、該溝部に設けた前記おもりを配置して固定するための複数個のネジ穴と、前記ネジ孔に通して前記おもりを前記ネジ穴に固定する固定ネジと、を備えたことを特徴とする。
【０００８】
この構成を採用することにより、本願発明の請求項１に係るアイアンゴルフクラブヘッドは、おもりに設けたネジ孔に固定ネジを通し、アイアンゴルフクラブヘッドのバックフェース側に設けた溝部にあるネジ穴におもりを、該固定ネジで固定できる。ネジ穴は、複数個所設けられているので、プレイヤー自身が、おもりの数やその位置を調整することにより、アイアンゴルフクラブヘッドの重さやバランスを調整することができる。よって、プレイヤーである使用者は、自分にとって振り心地の良いアイアンゴルフクラブにすることができる。また、おもりの重さも数種類を用いることができる。よって、プレイヤーにとって最適となるアイアンゴルフクラブに仕立てることができる。したがって、それぞれの番手のアイアンゴルフクラブを同じ振り心地にすることができるので、プレイの質の向上ににつながる。
【０００９】
また、本願発明の請求項２に係るアイアンゴルフクラブヘッドは、請求項１に記載のアイアンゴルフクラブヘッドにおいて、前記溝部の断面形状が、外部側が狭く内部側が広いハの字形状であり、前記おもりの該溝部に嵌める嵌合部の断面形状がハの字形状であって、該おもりの該嵌合部が該溝部内を摺動して移動可能であることを特徴とする。また、本願発明の請求項３に係るアイアンゴルフクラブヘッドは、請求項１又は２に記載のアイアンゴルフクラブヘッドにおいて、前記溝部の少なくとも一方の端部が、前記アイアンヘッドの外周まで貫通していること特徴とする。
【００１０】
これらの構成を採用することにより、アイアンゴルフクラブヘッドは、溝部とおもりとが蟻ホゾになっていて、フェース側でゴルフボールを打撃した際の衝撃を受けても、おもりが蟻ホゾに嵌合しているので、おもりが外れて紛失することはない。また、おもりを装着する溝部がアイアンゴルフクラブヘッドの外周まで貫いているので、おもりを加えたり、減らしたりする調整が容易であって、プレイヤー自身で行うことができる。よって、プレイヤーは、自分自身で容易に、最適な振り心地になるように、アイアンゴルフクラブヘッドの重量やバランス調整を行うことができる。
【００１１】
また、本願発明の請求項４に係るアイアンゴルフクラブヘッドは、請求項１又は２又は３に記載のアイアンゴルフクラブヘッドにおいて、前記溝部と前記ネジ穴とが、少なくとも前記バックフェースのキャビティー部に設けられたことを特徴とする。
【００１２】
この構成を採用することにより、本発明に係るアイアンゴルフクラブヘッドは、アイアンゴルフクラブヘッドの肉厚の薄い箇所におもりを装着することができる。よって、おもりによる重さの増減の影響が、振り心地、即ち、ボールに対する打撃の感触が相対的に大きくできるので、バランス調整の効果を大きくすることができる。
【発明の効果】
【００１３】
本発明に係る請求項１から４に記載のアイアンゴルフクラブヘッドによれば、おもりの装着や増減が容易であるので、ゴルフプレイヤー自身で、アイアンゴルフクラブヘッドの重量やバランス調整を、容易に細かく調整することができる。よって、プレイヤーは、それぞれの番手のアイアンゴルフクラブの振り心地を同じにすることができるので、プレイの質の向上につながる。また、おもりは溝部に嵌合してネジ止めされているので、ゴルフボールの打撃の衝撃で外れることはない。このように、重量調整やバランス調整に必要なものは、おもりと、固定ネジと、ネジを締めるドライバだけなので、手軽であり、かつ、安価である。また、従来のような鉛板の貼付け行為を、避けることができるので、環境破壊を防止することができる。
【図面の簡単な説明】
【００１４】
【図１】本発明の実施するための形態に係るアイアンゴルフラブヘッドのバックフェース側の模式的斜視図である。
【図２】本発明の実施するための形態に係るアイアンゴルフクラブヘッドのフェース側の模式的斜視図である。
【図３】本発明の実施するための形態に係るアイアンゴルフクラブヘッドの模式的側面図である。
【図４】本発明の実施するための形態に係るアイアンゴルフクラブヘッドであって、図１におけるＡ−Ａ矢視断面図である。
【発明を実施するための形態】
【００１５】
アイアンゴルフクラブヘッド１は、溝部２とキャビティー部３とトレーディングエッジ４とを少なくとも有するバックフェース１−１と、リディングエッジ８とスコアライン９とを少なくとも有するフェース１−２と、バックフェース１−１とフェース１−２との間の上面のトップブレード６と、下面のソール５と、シャフトにつながるホーゼル７と、を有している。本発明に係るアイアンゴルフクラブヘッド１は、バックフェース１−１側に設けられた溝部２と、溝部２に備えたネジ穴２−１と、ネジ孔１０−１を備えゴルフクラブの重量やバランスを調整するためのおもり１０と、おもり１０をネジ穴２−１に固定する固定ネジ１１と、を少なくとも備えている。なお、アイアンゴルフクラブヘッド１は、鍛造でも鋳造でもどちらでもよい。
【００１６】
溝部２は、溝部２の断面形状は外部側が狭く内部側が広いハの字形状である嵌合部２−２によって、おもり１０を嵌合して摺動できるガイド溝となっている。また、所定の位置または所定の間隔で設けられたネジ穴２―１に、おもり１０を固定ネジ１１で固定できる。また溝部２は、少なくとも溝部２の一端がアイアンゴルフクラブヘッドの外周に達しているので、その端部から嵌め込んで、おもり１０の数を増減させることができる。これらによって、アイアンゴルフクラブの重量調整やバランス調整を細かくすることができる。また、固定ネジ１１でおもり１０を固定しているうえに、嵌合部２−２でおもり１０が嵌合しているので、本願アイアンゴルフクラブヘッド１でゴルフボールを打撃しても、その打撃の際の衝撃でおもり１０を固定する固定ネジ１１が外れないし、万一、固定ネジ１１が外れたとしても、溝部２に嵌合しているので、おもり１０をバックフェース１−１から外れて紛失することがない。よって、使用者であるゴルフプレイヤーは、プレイ中におもり１０を装着したまま、プレイ前に設定した振り心地で最後までプレイできる。また、おもり１０を紛失することがないので、例えば鉛製のおもり１０の紛失による環境破壊を防止できる。なお、溝部２は、アイアンゴルフクラブヘッド１に１本とは限らず、複数本を任意の位置でそれぞれ独立して、または、交差して設けることができる。この場合には、アイアンゴルフクラブヘッド１の任意の位置におもり１０を装着できるので、アイアンゴルフクラブヘッド１のより細かな重量調整およびバランス調整をすることができる。
【００１７】
キャビティー部３は、アイアンゴルフクラブ１の通常肉厚が薄い場所で中央部である。よって、この部分に、溝部２とネジ穴２−１を設けて、おもり１０を装着すれば、おもり１０による振り心地に対する影響が、厚みのある位置に比べて大きくできる。したがって、バランス調整が細かく行い易くなるので、溝部２を設ける位置として好適である。
【００１８】
おもり１０は、固定ネジ１１を、ネジ穴２−１に固定するためのネジ孔１０−１を有している。おもり１０の材質は、比重の大きな金属が好適で、例えば鉛、鉄、銅などがある。なお、おもり１０は、数種類の重さのおもり１０であるのがよく、細かく重量やバランスを調整できる。
【００１９】
次に、本発明に係るアイアンゴルフクラブヘッド１の製造方法の一例を説明する。鍛造で製造したキャビティーのあるアイアンゴルフクラブヘッドに、キャビティーを通り、断面形状が外周側が広く内部側が狭いハの字形状の蟻ホゾになるように溝部２を切削する。そして所定の位置にネジ穴２−１を開けて、表面をめっき加工する。同時進行で、前記溝部２の蟻ホゾの断面形状に嵌合するよう形状になるように、鉛を鋳造しておもり１０を製造し、その後ネジ孔１０−１をドリルで開ける。そして、溝部２におもり１０を嵌めて、所定の位置に摺動させて固定ネジ１１で固定して、本発明に係るアイアンゴルフクラブヘッド１は完成する。
【００２０】
また、本発明に係るアイアンゴルフクラブヘッド１の使用方法の一例を説明する。使用者（プレーヤー）は、本発明に係るゴルフクラブヘッド１を装着したアイアンゴルフクラブを、使用者が自分でおもり１０を溝部２の端部から嵌めて、摺動させて、所定のネジ穴２−１の位置におもり１０を移動させ、おもり１０のネジ孔１０−１に固定ネジ１１を通して、ネジ穴２−１に固定する。その後、素振り若しくはゴルフボールを打って、アイアンゴルフクラブの振り心地を確認する。振り心地を調整する必要がある場合は、おもり１０を別のネジ穴２−１に移動させて固定したり、別のおもり１０を加えたり、あるいは、複数個おもり１０を装着している場合は、おもり１０を減じたりして、また、おもり１０を別の重さのものに変更したりして、試行錯誤を繰り返して、振り心地が最適になるまで繰り返す。そして、最適な振り心地が決まれば、別の番手のアイアンゴルフクラブヘッド１を装着したゴルフクラブも同様にして同じ振り心地になるように重量やバランスを調整する。
【００２１】
本発明に係るアイアンゴルフクラブヘッド１を用いれば、使用者が自分で簡単かつ迅速に、アイアンゴルフクラブの重量調整やバランス調整ができるので、個人に最適な振り心地のよいアイアンゴルフクラブに手軽で、かつ、安価に調整できる。よって、使用者は、振り心地が常に同じになるので、ゴルフプレイの質を向上させることができる。
【産業上の利用可能性】
【００２２】
アイアンゴルフクラブヘッドの分野に広く利用することができる。
【符号の説明】
【００２３】
１：アイアンゴルフクラブ
１−１：バックフェース          １−２：フェース
２：溝部
２−１：ネジ穴                  ２−２：嵌合部
３：キャビティー部
４：トレーディングエッジ
５： ソール
６：トップブレード
７：ホーゼル
８：リーディングエッジ
９：スコアライン
１０：おもり
１０−１：ネジ孔
１１：固定ネジ
【図１】
2019042192.tif 000003
【図２】
2019042192.tif 000004
【図３】
2019042192.tif 000005
【図４】
2019042192.tif 000006